Podtech/llm-jp-corpus-v4-ja_patent huggingface dataset:
【誤訳訂正書】
【提出日】平成26年4月3日(2014.4.3)
【誤訳訂正１】
【訂正対象書類名】明細書
【訂正対象項目名】０００７
【訂正方法】変更
【訂正の内容】
【０００７】
したがって本明細書では、
（ａ）配列番号２に記載のアミノ酸配列をコードする単離された核酸分子；
（ｂ）０．１×ＳＳＣ、０．１％ＳＤＳで６５℃、および２×ＳＳＣ、０．１％ＳＤＳの洗浄、続いて０．１×ＳＳＣ、０．１％ＳＤＳの洗浄というハイブリダイゼーション条件下で（ａ）とハイブリダイズする単離された核酸分子；または
（ａ）または（ｂ）と完全に相補的な単離された核酸分子
からなる群から選択される、Δ６デサチュラーゼ酵素をコードするヌクレオチド配列を含んでなる、単離された核酸分子が提供される。
【誤訳訂正２】
【訂正対象書類名】明細書
【訂正対象項目名】００４５
【訂正方法】変更
【訂正の内容】
【００４５】
核酸断片は、適切な温度および溶液イオン強度条件下で、核酸断片の一本鎖形態がその他の核酸断片とアニールできる場合、ｃＤＮＡ、ゲノムＤＮＡ、またはＲＮＡなどの別の核酸断片と「ハイブリダイズ可能」である。ハイブリダイゼーションおよび洗浄条件は良く知られており、参照によって本明細書に援用するＳａｍｂｒｏｏｋ，Ｊ．，Ｆｒｉｔｓｃｈ，Ｅ．Ｆ．およびＭａｎｉａｔｉｓ，Ｔ．Ｍｏｌｅｃｕｌａｒ  Ｃｌｏｎｉｎｇ：Ａ  Ｌａｂｏｒａｔｏｒｙ  Ｍａｎｕａｌ，第２版，Ｃｏｌｄ  Ｓｐｒｉｎｇ  Ｈａｒｂｏｒ  Ｌａｂｏｒａｔｏｒｙ：Ｃｏｌｄ  Ｓｐｒｉｎｇ  Ｈａｒｂｏｒ，ＮＹ（１９８９年）の特に第１１章および表１１．１で例示される。温度およびイオン強度条件が、ハイブリダイゼーションの「ストリンジェンシー」を定める。ストリンジェントな条件は、（遠縁の生物からの相同的配列などの）中程度に類似の断片をスクリーニングするため、そして（近縁の生物からの機能性酵素を複製する遺伝子などの）高度に類似した断片をスクリーニングするために調節できる。ハイブリダイゼーション後の洗浄が、ストリンジェンシー条件を決定する。１つの好ましい条件のセットは、室温において６×ＳＳＣ、０．５％ＳＤＳで１５分間に始まり、次に４５℃において２×ＳＳＣ、０．５％ＳＤＳで３０分間を反復し、次に５０℃において０．２×ＳＳＣ、０．５％ＳＤＳを３０分間を２回反復する、一連の洗浄を使用する。より好ましいストリンジェントな条件のセットはより高い温度を使用し、そこでは洗浄は、最後の０．２×ＳＳＣ、０．５％ＳＤＳ中での２回の３０分間の洗浄の温度を６０℃に増大させること以外は上述したのと同一である。別の好ましい高度にストリンジェントな条件のセットは、６５℃において０．１×ＳＳＣ、０．１％ＳＤＳ中での２回の最終洗浄を使用する。さらに別のストリンジェントな条件のセットは、例えば０．１×ＳＳＣ、０．１％ＳＤＳで６５℃、そして２×ＳＳＣ、０．１％ＳＤＳの洗浄、続いて０．１×ＳＳＣ、０．１％ＳＤＳの洗浄というハイブリダイゼーションを含む。
【誤訳訂正３】
【訂正対象書類名】明細書
【訂正対象項目名】００５３
【訂正方法】変更
【訂正の内容】
【００５３】
典型的にストリンジェントな条件は、塩濃度がｐＨ７．０〜８．３において約１．５ＭのＮａイオン未満、典型的に約０．０１〜１．０ＭのＮａイオン（またはその他の塩）濃度であり、短いプローブ（例えば１０〜５０個のヌクレオチド）では温度が少なくとも約３０℃、長いプローブ（例えば５０個のヌクレオチドを超える）では少なくとも約６０℃であるような条件である。ストリンジェントな条件はまた、ホルムアミドなどの不安定化剤の添加によって達成できる。低ストリンジェンシー条件の具体例としては、３７℃で３０〜３５％ホルムアミド、１ＭのＮａＣｌ、１％ＳＤＳ（ドデシル硫酸ナトリウム）の緩衝溶液を用いたハイブリダイゼーション、および５０〜５５℃で１×〜２×ＳＳＣ（２０×ＳＳＣ＝３．０ＭＮａＣｌ／０．３Ｍクエン酸三ナトリウム）中での洗浄が挙げられる。中程度のストリンジェンシー条件の具体例としては、３７℃で４０〜４５％ホルムアミド、１ＭのＮａＣｌ、１％ＳＤＳ中でのハイブリダイゼーション、および５５〜６０℃で０．５×〜１×ＳＳＣ中での洗浄が挙げられる。高ストリンジェンシー条件の具体例としては、３７℃で５０％ホルムアミド、１ＭのＮａＣｌ、１％ＳＤＳ中でのハイブリダイゼーション、および６０〜６５℃で０．１×ＳＳＣ中での洗浄が挙げられる。追加的なストリンジェントな条件の組としては、例えば０．１×ＳＳＣ、０．１％ＳＤＳで６５℃、および２×ＳＳＣ、０．１％ＳＤＳの洗浄、続いて０．１×ＳＳＣ、０．１％ＳＤＳの洗浄というハイブリダイゼーションが挙げられる。
【誤訳訂正４】
【訂正対象書類名】特許請求の範囲
【訂正対象項目名】全文
【訂正方法】変更
【訂正の内容】
【特許請求の範囲】
【請求項１】
配列番号２に記載のアミノ酸配列をコードする核酸分子を含む、Δ６デサチュラーゼ酵素をコードするヌクレオチド配列を含んでなる核酸分子。
【請求項２】
ヌクレオチド配列が配列番号１または配列番号４６である、請求項１記載の核酸分子。
【請求項３】
ＢＬＡＳＴＰアラインメント法に基づいて配列番号２に記載の配列を有するポリペプチドと比較すると、少なくとも８０％の同一性を有する少なくとも４７１個のアミノ酸のΔ６デサチュラーゼ酵素をコードするヌクレオチド配列、を含んでなる核酸分子。
【請求項４】
配列番号２に記載のアミノ酸配列を含むΔ６デサチュラーゼ酵素。
【請求項５】
少なくとも１つの制御配列と作動的に連結する、請求項１〜３のいずれか１項に記載の核酸分子を含んでなるキメラ遺伝子。
【請求項６】
請求項５に記載のキメラ遺伝子を含んでなる微生物宿主細胞。
【請求項７】
酵母、藻類、細菌、ユーグレナ属、ストラメノパイル、卵菌綱および真菌かなる群より選ばれる、請求項６記載の微生物宿主細胞。
【請求項８】
ヤロウィア（Ｙａｒｒｏｗｉａ）、カンジダ（Ｃａｎｄｉｄａ）、ロドトルラ（Ｒｈｏｄｏｔｏｒｕｌａ）、ロドスポリジウム（Ｒｈｏｄｏｓｐｏｒｉｄｉｕｍ）、クリプトコッカス（Ｃｒｙｐｔｏｃｏｃｃｕｓ）、トリコスポロン（Ｔｒｉｃｈｏｓｐｏｒｏｎ）、およびリポマイセス（Ｌｙｐｏｍｙｃｅｓ）からなる群より選ばれる属の油性酵母である、請求項７記載の微生物宿主細胞。
【請求項９】
油性酵母がヤロウィア・リポリティカ（Ｙａｒｒｏｗｉａ  ｌｉｐｏｌｙｔｉｃａ）である、請求項８記載の微生物宿主細胞。
【請求項１０】
ａ）請求項６〜９のいずれか１項に記載の微生物宿主細胞を提供するステップと、
ｂ）γ−リノレン酸が生成する条件下においてリノール酸源存在下で（ａ）の宿主細胞を増殖させるステップと
を含んでなる、γ−リノレン酸を生成する方法。
【請求項１１】
ａ）請求項６〜９のいずれか１項に記載の微生物宿主細胞を提供するステップと、
ｂ）ステアリドン酸が生成する条件下において、α−リノレン酸源存在下で（ａ）の宿主細胞を増殖させるステップと
を含んでなる、ステアリドン酸を生成する方法。
【誤訳訂正書】
【提出日】平成26年8月18日(2014.8.18)
【誤訳訂正１】
【訂正対象書類名】明細書
【訂正対象項目名】００３０
【訂正方法】変更
【訂正の内容】
【００３０】
本発明の主要な部分は、最も厄介なコムの変動に同期した方式においてインターフェログラムをサンプリングする簡単な方法を提供している。新しいサンプリンググリッドが提供される。考え方は、干渉するコムから２つの個別のラインの間のうなり信号を分離し、且つ、結果的に得られた信号を、コムのラインの位置が無視可能な態様で変動する場合にはこれは正弦波であり、トリガとして（同期うなり信号のゼロ交差をトリガとして使用する特別な例示用の実施例における図３）、あるいは２つのコム全体の間の干渉分光信号のサンプリングプロセスのためのクロックとして（図４）使用するということにある。尚、コムラインが十分に分離されない場合にも、即ち、同期うなり信号がラインの複数のペアのうなり信号を有する場合にも、同期プロセスは、依然として機能する。ただし、時間シーケンスにおいてより制限される、即ち、フーリエ変換分光法の分解能がより制限される。
【誤訳訂正２】
【訂正対象書類名】特許請求の範囲
【訂正対象項目名】全文
【訂正方法】変更
【訂正の内容】
【特許請求の範囲】
【請求項１】
干渉計（１）であって、
第１周波数コム生成器（ＦＣ１）と、
干渉（Ｉ）を生成するべく、前記第１周波数コム生成器（ＦＣ１）と相互作用するべく適合された第２周波数コム生成器（ＦＣ２）と、
を有し、更に、前記干渉計は、
前記第１周波数コムの第１の単一ライン及び前記第２周波数コムの第２の単一ラインを分離（isolate）する手段（３、４）と、前記第１の単一ライン及び前記第２の単一ラインから少なくとも１つのうなり信号を生成するうなり生成手段と、
前記うなり信号を時間の関数として監視する手段であって、該うなり信号は前記うなり信号を記録する装置のためのトリガとして又はクロックとして使用され、該うなり信号は、各周波数コムのライン位置が無視可能な態様で変動するときには前記干渉のデータ取得をトリガするためのトリガとして、又は、各周波数コムのライン位置が無視可能な態様で変動するものでないときには該うなり信号のサンプリングプロセスのためのクロックとして、使用される、手段と、
を有する干渉計。
【請求項２】
第１外部基準光の生成器及び第２外部基準光の生成器を更に有し、前記うなり生成手段は、前記第１の単一ラインと前記第１外部基準光との第１うなり信号と、前記第２の単一ラインと前記第２外部基準光との第２うなり信号と、を生成するべく適合されている、請求項１に記載の干渉計。
【請求項３】
前記うなり生成手段は、前記第１の単一ラインと前記第２の単一ラインとのうなり信号を生成するべく適合されている、請求項１に記載の干渉計。
【請求項４】
前記分離手段は、光学フィルタ及び／又はファイバ・ブラッグ格子及び／又はファブリーペローエタロン及び／又は電子フィルタリングを有する、請求項１〜３のいずれか一項に記載の干渉計。
【請求項５】
前記分離手段は、前記第１周波数コム生成器及び前記第２周波数コム生成器との間においてうなりを生成するべく適合された連続波レーザーを有する、請求項１〜４のいずれか一項に記載の干渉計。
【請求項６】
サンプルのスペクトルを計測する分光装置であって、
請求項１〜５のいずれか一項に記載の干渉計を有し、
前記第１周波数コム生成器及び前記第２周波数コム生成器のうちの少なくとも一つは、前記サンプルと相互作用するべく適合されている、
分光装置。
【請求項７】
前記第１周波数コム生成器及び前記第２周波数コム生成器のうちの一つのみが前記サンプルと相互作用するべく適合されている、請求項６に記載の分光装置。
【請求項８】
前記第１周波数コム生成器及び前記第２周波数コム生成器が前記サンプルと相互作用するべく適合されている、請求項６に記載の分光装置。
【誤訳訂正書】
【提出日】平成26年5月7日(2014.5.7)
【誤訳訂正１】
【訂正対象書類名】特許請求の範囲
【訂正対象項目名】全文
【訂正方法】変更
【訂正の内容】
【特許請求の範囲】
【請求項１】
複合部材であって、第１の接触面（３）を備えた第１の部材（１）と、該第１の接触面（３）に接触している第２の接触面（５）を備えた少なくとも１つの第２の部材（４）とを有しており、第１の接触面（３）が、電磁放射線を用いて形成された表面構造（６）を有している形式のものにおいて、
表面構造（６）が、ナノ構造（１０）によって重畳されたマイクロ構造（７）を有しており、
表面構造（６）が、１００ｆｓ〜１００ｐｓの間のパルス継続時間をもつレーザを用いて、プロセスガス雰囲気を含むプロセス媒体下で、形成されており、
プロセスガスによって第１の部材における酸化物層の形成が阻止されることを特徴とする複合部材。
【請求項２】
マイクロ構造（７）が、１μｍ〜９９９μｍの間のサイズ範囲の直径をもつマイクロ構造エレメント（８）を有し、かつナノ構造（１０）が、１ｎｍ〜９９９ｎｍの間のサイズ範囲の直径をもつナノ構造エレメント（９）を有している、請求項１記載の複合部材。
【請求項３】
表面構造（６）が、１０ｎｍ〜１１μｍの間の範囲の放射線波長で、かつ１００ｆｓ〜１０μｓの間の範囲の放射線パルス継続時間で、形成されている、請求項１又は２記載の複合部材。
【請求項４】
第１の接触面（３）が金属、セラミック、熱可塑性プラスチック又は熱硬化性プラスチックを含むプラスチック、及び半導体材料の少なくともいずれかから形成されており、かつ第２の接触面（５）が、熱可塑性プラスチック又は熱硬化性プラスチックを含むプラスチックから形成されている、請求項１から３までのいずれか１項記載の複合部材。
【請求項５】
複合部材（２）が、少なくとも両接触面（３，５）の間に接着促進剤を有していない、請求項１から４までのいずれか１項記載の複合部材。
【請求項６】
第２の接触面（５）が、熱可塑性プラスチックを含むプラスチックから形成されており、第１の部材（１）が、少なくとも部分的に、射出成形によって第２の部材（４）によって取り囲まれている、請求項１から５までのいずれか１項記載の複合部材。
【請求項７】
第１の部材（１）と第２の部材（４）とが等しい熱膨張係数を有している、請求項１から６までのいずれか１項記載の複合部材。
【請求項８】
第１の接触面（３）が全面的に表面構造（６）を備えている、請求項１から７までのいずれか１項記載の複合部材。
【請求項９】
複合部材（２）が、燃料噴射弁の構成部材、打抜きグリッドの構成部材、屈曲導体の構成部材、射出成形により包埋されたセラミック部材の構成部材、又は射出成形されたプラスチックにより包埋されたブシュの構成部材である、請求項１から８までのいずれか１項記載の複合部材。
【請求項１０】
請求項１から９までのいずれか１項記載の複合部材（２）を製造する方法であって、第１の接触面（３）を備えた第１の部材（１）と少なくとも１つの第２の部材（４）とを有しており、第１の接触面（３）が、電磁放射線を用いて形成された表面構造（６）を有している、複合部材（２）を製造する方法において、
表面構造（６）がナノ構造（１０）によって重畳されたマイクロ構造（７）を有するように、表面構造（６）を形成し、
前記表面構造（６）を、１００ｆｓ〜１００ｐｓの間のパルス継続時間をもつレーザを用いて、プロセスガス雰囲気を含むプロセス媒体下で、形成し、
プロセスガスによって第１の部材における酸化物層の形成を阻止することを特徴とする、複合部材を製造する方法。
【請求項１１】
第１の部材（１）を表面構造化の後で第２の部材（４）と形状結合式に結合し、第２の部材（４）を、少なくとも部分的に、熱可塑性材料を含むプラスチック材料から形成する、請求項１０記載の方法。
【請求項１２】
第１の部材（１）と第２の部材（４）との結合が、第１の部材（１）を第２の部材（４）の射出成形によって少なくとも部分的に取り囲むことにより行われる、請求項１１記載の方法。
【請求項１３】
構造化された第１の部材（１）を、第２の部材（４）の接合まで、不活性ガス雰囲気下に置く、請求項１０から１２までのいずれか１項記載の方法。
【請求項１４】
構造化された第１の部材（１）を、第２の部材（４）の接合中にも不活性ガス雰囲気下に置く、請求項１３記載の方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
製油所ガソリン流に含まれているベンゼンをアルキル化する方法であって、
前記製油所ガソリン流を、アルキル化条件下にあるアルキル化反応ゾーンにおいて１つ以上のＣ２〜Ｃ５オレフィンを含むアルキル化剤と接触させてアルキル化された流出物を製造する工程を含み、前記アルキル化反応ゾーンが少なくとも第１のアルキル化反応段階および第２のアルキル化反応段階を含み、前期アルキル化反応ゾーンへの供給原料全体中のアルキル化可能芳香族と前期アルキル化剤とのモル比は１未満であるけれども、前記第１および第２のアルキル化反応段階のそれぞれの入口におけるアルキル化可能芳香族とアルキル化剤とのモル比が少なくとも１．０であるように、前記アルキル化剤の部分が前記第１および第２のアルキル化反応段階のそれぞれに供給される、方法。
【請求項２】
前記第１および第２のアルキル化反応段階のそれぞれの入口におけるアルキル化可能芳香族とアルキル化剤とのモル比が、約１．０〜約２．０である、請求項１に記載の方法。
【請求項３】
前記アルキル化された流出物が、前記第１および第２のアルキル化反応段階のいずれにもリサイクルされることなく、前記アルキル化反応ゾーンから取り出される、請求項１に記載の方法。
【請求項４】
前記製油所ガソリン流が、改質油または軽質ナフサである、請求項１に記載の方法。
【請求項５】
前記アルキル化剤がプロピレンである、請求項1に記載の方法。
【請求項６】
前記製油所ガソリン流が、少なくとも１０重量％のベンゼンを含んでいる、請求項1に記載の方法。
【請求項７】
前記アルキル化された流出物が、１体積％未満のベンゼンを含んでいる、請求項1に記載の方法。
【請求項８】
前記アルキル化された流出物が、０．６２体積％未満のベンゼンを含んでいる、請求項1に記載の方法。
【請求項９】
前記アルキル化された流出物が、１,３,５−トリイソプロピルベンゼンの沸点よりも高い沸点を有する化合物を２体積％以下、含んでいる、請求項１に記載の方法。
【請求項１０】
前記アルキル化反応が、前記第１および第２のアルキル化反応段階のそれぞれにおいてＭＷＷゼオライトを含む触媒上で生じる、請求項１に記載の方法。
【請求項１１】
前記製油所ガソリン流が、前記接触の間、実質的に液相である、請求項１に記載の方法。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
シンタクス要素のビンストリングのビンのうち，少なくとも一つビンについてのコンテキスト情報を導出するステップと，
前記ビンストリングの前記ビンを復号するステップであって，前記ビンストリングのうちいくつかのビンについての復号は前記コンテキスト情報に基づいて実行され，バイパス復号は前記ビンストリングのうちいくつかのビンについて実行される，ステップと，
前記の復号されたビンに基づいて，前記シンタクス要素の値を導出するステップと，
を有するエントロピ復号方法。
【請求項２】
ビンを復号する前記ステップは，互いに独立なコンテキストを前記シンタクス要素の前記ビンストリングの各ビンに適用するステップを含む，請求項１に記載のエントロピ復号方法。
【請求項３】
ビンを復号する前記ステップは，バイパス復号を，前記シンタクス要素の前記ビンストリングのいくつかのビンに適用するステップと，互いに独立なコンテキストを，前記シンタクス要素の前記ビンストリングの残りのビンに適用するステップとを含む，請求項１に記載のエントロピ復号方法。
【請求項４】
ビンを復号する前記ステップにおいて，独立コンテキストが，前記コンテキスト情報に基づいて復号されたビンに適用され，
前記独立コンテキストは，ほかのコンテキストとは独立に更新されたコンテキストである，請求項１に記載のエントロピ復号方法。
【請求項５】
ビンを復号する前記ステップは，
前記バイパス復号を前記シンタクス要素の前記ビンストリングのビンに実行するか否かを判断するステップと，
前記バイパス復号を前記ビンに実行しないと判断したとき，前記コンテキスト情報に基づいて前記ビンを復号するステップと，
を含む，請求項１に記載のエントロピ復号方法。
【請求項６】
ビンを復号する前記ステップは，
コンテキストインデクスをシンタクス要素に対応するビンに割り当てるコンテキストインデクステーブル上の前記ビンに割り当てられたコンテキストインデクスに基づいて，前記シンタクス要素の前記ビンストリングのビンを復号するステップを含む，請求項１に記載のエントロピ復号方法。
【請求項７】
前記コンテキストインデクステーブルは，前記シンタクス要素の前記ビンストリングの少なくとも二つのビンに同一のコンテキストインデクスを割り当てる，請求項６に記載のエントロピ復号方法。
【請求項８】
前記コンテキストインデクステーブルは，
前記シンタクス要素の前記ビンストリングのいくつかのビンに同一のコンテキストインデクスを割り当て，
前記シンタクス要素の前記ビンストリングの残りのビンにバイパス復号を割り当てる，請求項６に記載のエントロピ復号方法。
【請求項９】
ビンを復号する前記ステップにおいて，前記ビンはコンテキストインデクステーブルを用いて復号され，
前記コンテキストインデクステーブルは，復号するピクチャのピクチャタイプに対応するオフセットと，前記シンタクス要素の前記ビンストリングのビンのコンテキストインデクスとを割り当て，
前記シンタクス要素の前記ビンストリングの前記ビンは，前記コンテキストインデクス及び前記オフセットによって指示されるコンテキストに基づいて復号される，請求項１に記載のエントロピ復号方法。
【請求項１０】
前記コンテキストインデクステーブルは，前記シンタクス要素の前記ビンストリングの少なくとも二つのビンに同一のコンテキストインデクスを割り当てる，請求項９に記載の方法。
【請求項１１】
前記コンテキストインデクステーブルは，
前記シンタクス要素の前記ビンストリングのいくつかのビンに同一のコンテキストインデクスを割り当て，
前記シンタクス要素の前記ビンストリングの残りのビンにバイパス復号を割り当てる，請求項９に記載のエントロピ復号方法。
【請求項１２】
前記ビンの２進符号は，前記バイパス復号が実行されるときはコンテキストを使用しないものとして復号される，請求項１に記載のエントロピ復号方法。
【請求項１３】
コンテキスト情報を導出する前記ステップにおいて，前記コンテキスト情報は，コンテキストインデクスオフセット及び前記ビンによるコンテキストインデクスの和によって指示され，
前記コンテキストインデクスオフセットは，Ｉスライス，Ｐスライス及びＢスライスのうち現スライスのスライスタイプに基づいて決定される，請求項１に記載のエントロピ復号方法。
【請求項１４】
コンテキスト情報を導出する前記ステップにおいて，前記ビンは，ビンインデクス０が割り当てられている符号語の第１ビンであり，前記バイパス復号は前記符号語の残りのビンに実行される，請求項１３に記載のエントロピ復号方法。
【請求項１５】
前記シンタクス要素は，色差サンプルの予測モードを指定するｉｎｔｒａ＿ｃｈｒｏｍａ＿ｐｒｅｄ＿ｍｏｄｅである，請求項１に記載のエントロピ復号方法。
【請求項１６】
ビンを復号する前記ステップは，
前記コンテキスト情報に基づいて，前記のシンタクス要素ｉｎｔｒａ＿ｃｈｒｏｍａ＿ｐｒｅｄ＿ｍｏｄｅのビンストリングの第１ビンに算術復号を実行するステップと，
前記ｉｎｔｒａ＿ｃｈｒｏｍａ＿ｐｒｅｄ＿ｍｏｄｅシンタクス要素の前記ビンストリングの残りのビンにバイパス復号を実行するステップと，
を含む，請求項１５に記載のエントロピ復号方法。
【請求項１７】
ビンを復号する前記ステップは，
前記ビンストリングの第２ビンから，前記シンタクス要素ｉｎｔｒａ＿ｃｈｒｏｍａ＿ｐｒｅｄ＿ｍｏｄｅのビンストリングのビンに前記バイパス復号を実行するステップと，
前記シンタクス要素ｉｎｔｒａ＿ｃｈｒｏｍａ＿ｐｒｅｄ＿ｍｏｄｅの前記ビンストリングの第１ビンについてのコンテキスト情報を導出するステップとを含む，請求項１５に記載のエントロピ復号方法。
【請求項１８】
前記コンテキスト情報は，コンテキストインデクスオフセット及び前記ビンによるコンテキストインデクスの和によって指定され，
前記コンテキストインデクスオフセットは，現スライスがＩスライスのとき０の値，前記現スライスがＰスライスのとき１の値，前記現スライスがＢスライスのとき２の値を有する，請求項１７に記載のエントロピ復号方法。
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
1から5世代のポリリジン、ポリアミドアミン、ポリ(エーテルヒドロキシルアミン)またはポリ(プロピレンイミン)デンドリマーを含み、および、デンドリマーの最も外側の世代の1つまたは複数の表面アミノ基に結合した1つまたは複数のスルホン酸含有部分を有する、有効量の巨大分子を含む、細菌性膣炎の再発の減少における使用のための組成物。
【請求項２】
1から5世代のポリリジン、ポリアミドアミン、ポリ(エーテルヒドロキシルアミン)またはポリ(プロピレンイミン)デンドリマーを含み、および、デンドリマーの最も外側の世代の1つまたは複数の表面アミノ基に結合した1つまたは複数のスルホン酸含有部分を有する、有効量の巨大分子を含む、細菌性膣炎の予防における使用のための組成物。
【請求項３】
有効量が1用量あたり30mgから200mg、または、1用量あたり40mgから160mgである、請求項1または2に記載の組成物。
【請求項４】
有効量が1日あたり巨大分子40mgから100mg、または、1日あたり巨大分子40mgから60mgである、請求項1から3のいずれか一項に記載の組成物。
【請求項５】
前記巨大分子が1日おき、および／または、1週間に3から4回投与される、請求項1から4のいずれか一項に記載の組成物。
【請求項６】
前記巨大分子が性行為に近接して、または月経中もしくは月経後に投与される、請求項1から5のいずれか一項に記載の組成物。
【請求項７】
真菌感染症または他の微生物感染症の発生の減少における使用のための、請求項1から6のいずれか一項に記載の組成物。
【請求項８】
i)真菌感染症が、カンジダ・アルビカンス(鵞口瘡)、紅色白癬菌、毛瘡白癬菌、および有毛表皮糸状菌から選択される、または、
ii) 他の微生物感染症が、ヒト免疫不全ウイルス(HIV)、ヒトパピローマウイルス(HPV)、単純ヘルペスウイルス(HSV)、伝染性軟属腫、ナイセリア・ゴノレア(淋病)、クラミジア・トラコマチス(クラミジア)、膣トリコモナス、軟性下疳(ヘモフィルス・デュクレイ)、エシェリキア属種、クロストリジウム属種、フゾバクテリウム属種、サッカロミセス属種、アスペルギルス属種、および黄色ブドウ球菌から選択される、請求項7に記載の組成物。
【請求項９】
真菌感染症がカンジダ・アルビカンスである、請求項8に記載の組成物。
【請求項１０】
スルホン酸含有部分が、
-NH(CH2)nSO3-、-(CH2)nSO3-、
【化１】
2014515032.tif 000001
から選択され、式中、nは0または1〜20の整数、mは1または2の整数、pは1から3の整数で
ある、請求項1から9のいずれか一項に記載の組成物。
【請求項１１】
スルホン酸含有部分が、
【化２】
2014515032.tif 000002
から選択される、請求項10に記載の組成物。
【請求項１２】
スルホン酸含有部分が、リンカーによりデンドリマー末端アミノ基に結合しており、
リンカーは、1つもしくは複数の非隣接炭素原子が任意選択により酸素原子もしくは硫黄原子で置換されているアルキレン基もしくはアルケニレン基、または基-X1-(CH2)q-X2-であり、式中、X1およびX2は-NH-、-C(O)-、-O-、-S-および-C(S)から独立に選択され、qは0または1から10の整数であり、1つまたは複数の非隣接(CH2)基は-O-または-S-で置換されていてもよい、
請求項1から11のいずれか一項に記載の組成物。
【請求項１３】
リンカーが#-O-CH2-C(O)-*であり、式中、#はスルホン酸含有部分への結合を示し、
*はデンドリマーの末端アミノ基への結合を示す、請求項12に記載の組成物。
【請求項１４】
デンドリマーが3〜4世代を有する、および／または、デンドリマーがポリリジンデンドリマーである、請求項1から13のいずれか一項に記載の組成物。
【請求項１５】
デンドリマーが
【化３】
2014515032.tif 000003
であり、式中、Rは
【化４】
2014515032.tif 000004
である、請求項14に記載の組成物。
【請求項１６】
1から5世代のポリリジン、ポリアミドアミン、ポリ(エーテルヒドロキシルアミン)またはポリ(プロピレンイミン)デンドリマーを含み、および、デンドリマーの最も外側の世代の1つまたは複数の表面アミノ基に結合した1つまたは複数のスルホン酸含有部分を有する、有効量の巨大分子を含む、
i)Nugentスコア、
ii)クルー細胞、
iii)臭気テスト、
iv)膣分泌物、
v)膣pH、および
vi)悪臭
から選択される、細菌性膣炎の1つもしくは複数の症状または1つもしくは複数の診断基準の軽減または予防のための、組成物。
【請求項１７】
2以上の症状または診断基準が軽減される、請求項16に記載の組成物。
【請求項１８】
1から5世代のポリリジン、ポリアミドアミン、ポリ(エーテルヒドロキシルアミン)またはポリ(プロピレンイミン)デンドリマー、および、デンドリマーの最も外側の世代の1つまたは複数の表面アミノ基に結合した1つまたは複数のスルホン酸含有部分を含む、細菌性膣炎の治療における使用のための組成物であって、有効量が1日あたり巨大分子40mgから100mgである、組成物。
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
６−［（１−イソプロピル−７−オキソ−１，４，６，７−テトラヒドロ−１’Ｈ−スピロ［インダゾール−５，４’−ピペリジン］−１’−イル）カルボニル］−１Ｈ−インドール−３−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−インダゾール−３−カルボキサミド；
６−［（１−イソプロピル−７−オキソ−１，４，６，７−テトラヒドロ−１’Ｈ−スピロ［インダゾール−５，４’−ピペリジン］−１’−イル）カルボニル］−１Ｈ−ピロロ［３，２−ｂ］ピリジン−３−カルボキサミド；
６−［（１−イソプロピル−７−オキソ−１，４，６，７−テトラヒドロ−１’Ｈ−スピロ［インダゾール−５，４’−ピペリジン］−１’−イル）カルボニル］−１Ｈ−インダゾール−３−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−ピロロ［２，３−ｂ］ピリジン−３−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−インドール−２−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−インドール−３−カルボキサミド；
１’−［（２−アミノ−１Ｈ−ベンゾイミダゾール−５−イル）カルボニル］−１−イソプロピル−１，４−ジヒドロスピロ［インダゾール−５，４’−ピペリジン］−７（６Ｈ）−オン；
５−［（１−イソプロピル−７−オキソ−１，４，６，７−テトラヒドロ−１’Ｈ−スピロ［インダゾール−５，４’−ピペリジン］−１’−イル）カルボニル］−Ｎ−メチル−１Ｈ−インダゾール−３−カルボキサミド；
Ｎ−エチル−５−［（１−イソプロピル−７−オキソ−１，４，６，７−テトラヒドロ−１’Ｈ−スピロ［インダゾール−５，４’−ピペリジン］−１’−イル）カルボニル］−１Ｈ−インダゾール−３−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−Ｎ−（２，２，２−トリフルオロエチル）−１Ｈ−インダゾール−３−カルボキサミド；
６−［（１−イソプロピル−７−オキソ−１，４，６，７−テトラヒドロ−１’Ｈ−スピロ［インダゾール−５，４’−ピペリジン］−１’−イル）カルボニル］−１Ｈ−インドール−２−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−ピラゾロ［３，４−ｂ］ピリジン−３−カルボキサミド；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−ピロロ［２，３−ｂ］ピリジン−２−カルボキサミド；
１−イソプロピル−１’−｛［２−（メチルアミノ）−１Ｈ−ベンゾイミダゾール−５−イル］カルボニル｝−１，４−ジヒドロスピロ［インダゾール−５，４’−ピペリジン］−７（６Ｈ）−オン；
５−［（１−イソプロピル−７−オキソ−１，４，６，７−テトラヒドロ−１’Ｈ−スピロ［インダゾール−５，４’−ピペリジン］−１’−イル）カルボニル］−１Ｈ−ベンゾイミダゾール−２−カルボキサミド；
５−［（１−ｔｅｒｔ−ブチル−７−オキソ−１，４，６，７−テトラヒドロ−１’Ｈ−スピロ［インダゾール−５，４’−ピペリジン］−１’−イル）カルボニル］−１Ｈ−インダゾール−３−カルボキサミド；
５−［（１−ｔｅｒｔ−ブチル−７−オキソ−１，４，６，７−テトラヒドロ−１’Ｈ−スピロ［インダゾール−５，４’−ピペリジン］−１’−イル）カルボニル］−１Ｈ−ピロロ［２，３−ｂ］ピリジン−３−カルボキサミドからなる群から選択される化合物または薬学的に許容できるその塩。
【請求項２】
構造
【化１】
2014515755.tif 000001
の化合物または薬学的に許容できるその塩。
【請求項３】
構造
【化２】
2014515755.tif 000002
の化合物または薬学的に許容できるその塩。
【請求項４】
構造
【化３】
2014515755.tif 000003
の化合物または薬学的に許容できるその塩。
【請求項５】
構造
【化４】
2014515755.tif 000004

の化合物または薬学的に許容できるその塩。
【請求項６】
請求項１から５のいずれか一項に記載の化合物または薬学的に許容できるその塩と、薬学的に許容できる賦形剤、希釈剤または担体とを含む医薬組成物。
【請求項７】
２型糖尿病または肝臓インスリン抵抗性を治療するための、請求項６に記載の組成物。
【請求項８】
２型糖尿病を治療するための、請求項６に記載の組成物。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
大部分またはすべてが、凝集一次粒子の形状で存在するケイ素−アルミニウム混合酸化物粉末であって、
ａ．一次粒子全体における質量比（Ａｌ2Ｏ3／ＳｉＯ2）ttlが０．００３〜０．０５であり、
ｂ．厚さ約５ｎｍの表面に近い層内の一次粒子の質量比（Ａｌ2Ｏ3／ＳｉＯ2）表面が、一次粒子全体におけるよりも小さく、および
ｃ．ＢＥＴ表面積が５０〜２５０ｍ2／ｇである、
ことを特徴とする前記混合酸化物粉末。
【請求項２】
（Ａｌ2Ｏ3／ＳｉＯ2）ttl／（Ａｌ2Ｏ3／ＳｉＯ2）表面が、１．３〜２０であることを特徴とする、請求項１に記載のケイ素−アルミニウム混合酸化物粉末。
【請求項３】
ジブチルフタレートｇ／混合酸化物１００ｇで表されるジブチルフタレート数が、３００〜３５０であることを特徴とする、請求項１または２に記載のケイ素−アルミニウム混合酸化物粉末。
【請求項４】
請求項１から３までのいずれか１項に記載のケイ素−アルミニウム混合酸化物粉末の製造方法において、
ａ）ＣＨ3ＳｉＣｌ3、（ＣＨ3）2ＳｉＣｌ2、（ＣＨ3）3ＳｉＣｌおよび（ｎ−Ｃ3Ｈ7）ＳｉＣｌ3からなる群から選択される１つまたは複数のケイ素化合物を含んでいる蒸気、ならびに加水分解可能および／または酸化可能のアルミニウム化合物の蒸気を、別個または一緒に、キャリアガスを用いて混合室に移し、ここで、Ａｌ2Ｏ3として算出されるアルミニウム化合物の、ＳｉＯ2として算出されるケイ素化合物に対する質量比は、０．００３〜０．０５であり、
ｂ）前記とは別に、少なくとも１つの燃焼ガスおよび空気を前記混合室に移し、ここで、空気中の酸素の総量は、燃焼ガスならびにケイ素化合物およびアルミニウム化合物を完全に燃焼させるために少なくとも充分であり、
ｃ）前記ケイ素化合物およびアルミニウム化合物の蒸気、燃焼ガスおよび空気からの混合物を燃焼装置内で点火して、該火炎を反応室内に入れて燃焼させ、
ｄ）引き続き前記固体をガス状物質から分離し、その後該固体を水蒸気で処理する、
ことを特徴とする前記方法。
【請求項５】
前記ケイ素化合物の蒸気が、ＳｉＣｌ4を４０質量％まで含んでいることを特徴とする、請求項４に記載の方法。
【請求項６】
請求項１から３までのいずれか１項に記載のケイ素−アルミニウム混合酸化物粉末の触媒としての使用。
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
ＰＧＦ２α類似体及び少なくとも１種のポリビニルアルコールを含む水性眼科用製剤であって、本質的に防腐剤を含まない、水性眼科用製剤。
【請求項２】
前記ＰＧＦ２α類似体が、ビマトプロスト、ラタノトプロスト、トラボプロスト、イソプロピルウノプロストン、及びタフルプロストからなる群から選択される、請求項１に記載の水性眼科用製剤。
【請求項３】
０．００１〜０．０５％（質量／体積の前記ＰＧＦ２α類似体を含有する、請求項１又は２に記載の水性眼科用製剤。
【請求項４】
０．０１〜１．５％（質量／体積）の前記少なくとも１種のポリビニルアルコールを含有する、請求項１〜３のいずれか一項に記載の水性眼科用製剤。
【請求項５】
前記ポリビニルアルコールが、前記製剤が、５５〜３０ｍＮ／ｍの表面張力を有するような量で選択され、添加される、請求項１〜４のいずれか一項に記載の水性眼科用製剤。
【請求項６】
少なくとも１種の更なる活性成分を含有する、請求項１〜５のいずれか一項に記載の水性眼科用製剤。
【請求項７】
前記少なくとも１種の更なる活性成分が、β−アドレナリン受容体遮断薬からなる群から選択される、請求項６に記載の水性眼科用製剤。
【請求項８】
本質的に界面活性剤を含まない、請求項１〜７のいずれか一項に記載の水性眼科用製剤。
【請求項９】
本質的に以下の組成を有する、請求項１〜８のいずれか一項に記載の水性眼科用製剤：ａ．）０．０１〜０．０３％（質量／体積）のビマトプロスト、
ｂ．）０．０〜１．０％（質量／体積）のマレイン酸チモロール、
ｃ．）０．０１〜０．０５％（質量／体積）のクエン酸、
ｄ．）０．１〜０．５％（質量／体積）のリン酸一水素ナトリウム、
ｅ．）０．５〜１．０％（質量／体積）の塩化ナトリウム、
ｆ．）０．０５〜０．３％（質量／体積）のポリビニルアルコール、及び
ｇ．）水。
【請求項１０】
緑内障及び高眼圧症からなる群から選択される疾病の治療用の、請求項１〜９のいずれか一項に記載の水性眼科用製剤。
【請求項１１】
緑内障及び高眼圧症からなる群から選択される疾病を治療する方法において使用するための、請求項１〜９のいずれか一項に記載の水性眼科用製剤。
【請求項１２】
０．０１〜０．０３％（質量／体積）の前記ＰＧＦ２α類似体を含有する、請求項１又は２に記載の水性眼科用製剤。
【請求項１３】
０．０２〜１．０％（質量／体積）の前記少なくとも１種のポリビニルアルコールを含有する、請求項１〜３のいずれか一項に記載の水性眼科用製剤。
【請求項１４】
０．０２〜０．５％（質量／体積）の前記少なくとも１種のポリビニルアルコールを含有する、請求項１〜３のいずれか一項に記載の水性眼科用製剤。
【請求項１５】
０．０５〜０．３％（質量／体積）の前記少なくとも１種のポリビニルアルコールを含有する、請求項１〜３のいずれか一項に記載の水性眼科用製剤。
【請求項１６】
０．１〜０．３％（質量／体積）の前記少なくとも１種のポリビニルアルコールを含有する、請求項１〜３のいずれか一項に記載の水性眼科用製剤。
【請求項１７】
前記ポリビニルアルコールが、前記製剤が、５０〜３５ｍＮ／ｍの表面張力を有するような量で選択され、添加される、請求項１〜４のいずれか一項に記載の水性眼科用製剤。
【請求項１８】
前記ポリビニルアルコールが、前記製剤が、５０〜４０ｍＮ／ｍの表面張力を有するような量で選択され、添加される、請求項１〜４のいずれか一項に記載の水性眼科用製剤。
【請求項１９】
前記少なくとも１種の更なる活性成分が、チモロ、プロプラノロール及びカルテオロールからなる群から選択される、請求項６に記載の水性眼科用製剤。
【請求項２０】
緑内障及び高眼圧症からなる群から選択される疾病の治療用の薬剤の製造のための、請求項１〜９のいずれか一項に記載の水性眼科用製剤の使用。
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
作物植物の真菌病原体感染を防除するための、パラフィン油と乳化剤とを含むパラフィン油の水中油型乳濁液を含む殺菌剤組成物。
【請求項２】
前記穀物植物がコムギ、オオムギ、ダイズ、又はトウモロコシである、請求項１に殺菌剤組成物。
【請求項３】
前記植物が単子葉植物である、請求項１又は２に記載の殺菌剤組成物。
【請求項４】
前記植物がイネ科（Poaceae）植物である、請求項３に記載の殺菌剤組成物。
【請求項５】
前記植物がコムギ属（Triticum）、ライムギ属（Secale）、オオムギ属（Hordeum）、イネ属（Oryza）、トウモロコシ属（Zea）、又はエソムギ属（Elymus）植物である、請求項４に記載の殺菌剤組成物。
【請求項６】
前記真菌病原体がサビキン目（Pucciniales）病原体である、請求項１〜５のいずれか一項に記載の殺菌剤組成物。
【請求項７】
前記真菌病原体がプクキニア属病原体である、請求項６に記載の殺菌剤組成物。
【請求項８】
前記真菌病原体が黒さび病菌（Puccinia graminis）種病原体、コムギ赤さび病菌（Puccinia triticina）種病原体、またはコムギ黄さび病菌（Puccinia striiformis）種病原体である、請求項７に記載の殺菌剤組成物。
【請求項９】
前記真菌病原体がビポラリス・ソロキニアナ（Bipolaris sorokiniana）、フザリウム・グラミネアルム（Fusarium graminearum）及びコムギ黄斑病菌（Pyrenophora tritici-repentis）からなる群から選択される、請求項１〜５のいずれか一項に記載の殺菌剤組成物。
【請求項１０】
前記植物が双子葉植物である、請求項１又は請求項２に記載の殺菌剤組成物。
【請求項１１】
前記植物がマメ科（Fabaceae）植物である、請求項１０に記載の殺菌剤組成物。
【請求項１２】
前記植物がダイズ種（Glycine max）植物である、請求項１１に記載の殺菌剤組成物。
【請求項１３】
前記真菌病原体がファコプソラ（Phakopsora）属病原体である、請求項１０〜１２のいずれか一項に記載の殺菌剤組成物。
【請求項１４】
前記真菌病原体が大豆さび病菌（Phakopsora pachyrhizi）または大豆さび病菌（Phakopsora meibomiae）である、請求項１３に記載の殺菌剤組成物。
【請求項１５】
前記植物がワタ（Gossypium）属植物である、請求項１０に記載の殺菌剤組成物。
【請求項１６】
前記真菌病原体がファコプソラ・ゴシッピイ（Phakopsora gossypii）である、請求項１５に記載の殺菌剤組成物。
【請求項１７】
前記真菌病原体がジャガイモ疫病菌（Phytophthora infestans）である、請求項１０に記載の殺菌剤組成物。
【請求項１８】
前記パラフィン油が１２〜５０個の範囲の炭素原子数を有するパラフィンを含む、請求項１〜１７のいずれか一項に記載の殺菌剤組成物。
【請求項１９】
前記パラフィン油が少なくとも８０％のパラフィン含有量を有する、請求項１〜１８のいずれか一項に記載の殺菌剤組成物。
【請求項２０】
前記パラフィン油が１〜３，２００オンス／エーカーの範囲で使用される、請求項１〜１９のいずれか一項に記載の殺菌剤組成物。
【請求項２１】
前記殺菌剤組成物が脱メチル化阻害剤（ＤＭＩ）を更に含有する、請求項１〜２０のいずれか一項に記載の殺菌剤組成物。
【請求項２２】
前記ＤＭＩがテトラコナゾール、テブコナゾール、プロピオコナゾール、アザコナゾール、ビテルタノール、ブロムコナゾール、シプロコナゾール、ジフェノコナゾール、ジニコナゾール、エポキシコナゾール、エタコナゾール、フェンブコナゾール、フルキンコナゾール、フルシラゾール、フルトリアホール、ヘキサコナゾール、イミベンコナゾール、イプコナゾール、メトコナゾール、ミクロブタニル、ペンコナゾール、プロチオコナゾール、シメコナゾール、トリアジメホン、トリアジメノール、トリチコナゾール、イマザリル、オキスポコナゾール、ペフラゾエート、プロクロラズ、トリフルミゾール、フェナリモル、ヌアリモル、トリホリン、又はピリフェノックスである、請求項２１に記載の殺菌剤組成物。
【請求項２３】
ストロビルリン系殺菌剤（ＱｏＩ）を更に含む、請求項１〜２２のいずれか一項に記載の殺菌剤組成物。
【請求項２４】
前記ＱｏＩがアゾキシストロビン、エネストロビン、ピコキシストロビン、ピラクロストロビン、トリフロキシストロビン、ジモキシストロビン、メトミノストロビン、オリサストロビン、ファモキサドン、フルオキサストロビン、フェナミドン、又はピリベンカルブである、請求項２３に記載の殺菌剤組成物。
【請求項２５】
前記殺菌剤組成物が顔料とシリコーン系界面活性剤の組合せを更に含み、前記乳化剤、前記パラフィン油、前記顔料、及びシリコーン系界面活性剤が前記植物に施用される場合に、真菌病原体感染の防除に対して相乗的に有効である量で存在する、請求項１〜２４のいずれか一項に記載の殺菌剤組成物。
【請求項２６】
前記顔料がポリ塩素化銅（Ｃｕ（ＩＩ））フタロシアニン）である、請求項２５に記載の殺菌剤組成物。
【請求項２７】
前記顔料が水中に分散され、かつ前記乳化剤が天然又は合成のエトキシル化アルコール、アルコキシル化アルコール、アルキル多糖、オレイン酸グリセリン、ポリオキシエチレン−ポリオキシプロピレン・ブロック共重合体、エトキシル化アルキルフェノール、高分子界面活性剤、ポリエチレングリコール、エトキシル化ソルビタン脂肪酸エステル、又はそれらの組み合わせを含む、請求項２５又は２６に記載の殺菌剤組成物。
【請求項２８】
前記顔料が油中に分散され、前記乳化剤が天然又は合成のエトキシル化アルコール、高分子界面活性剤、ソルビタン脂肪酸エステル、又はそれらの組合せが含み、かつ前記組合せが式ＩＶ： 
【化１】
2014515378.tif 000001
（式中、Ｒ１はＨ、ＣＨ２＝ＣＨ−ＣＨ２又はＣＯＣＨ３であり、Ｒ２はＨ、ＣＨ２＝ＣＨ−ＣＨ２又はＣＯＣＨ３であり、ｆは１以上である）
のポリエチレングリコールを更に含む、請求項２５〜２７のいずれか一項に記載の殺菌剤組成物。
【請求項２９】
前記パラフィン油の前記顔料に対する比が５：１〜１００：１である、請求項２５〜２８のいずれか一項に記載の殺菌剤組成物。
【請求項３０】
前記パラフィン油の前記乳化剤に対する重量比が１０：１〜５００：１である、請求項１〜２９のいずれか一項に記載の殺菌剤組成物。
【請求項３１】
前記顔料の前記シリコーン界面活性剤に対する重量比が２：１〜５０：１である、請求項２５〜２８のいずれか一項に記載の殺菌剤組成物。
【請求項３２】
前記パラフィン油の従来の化学殺菌剤に対する重量比が２：１〜１０，０００：１である、請求項２１〜２４のいずれか一項に記載の殺菌剤組成物。
【請求項３３】
前記組成物が沈降防止剤を更に含有する、請求項１〜３２のいずれか一項に記載の殺菌剤組成物。
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
標的核酸を検出するための使い捨てプラットフォームであって、
標的核酸を含むサンプルを収容するためのサンプルチャンバと、
第１チャネルを介して前記サンプルチャンバに連結され、第２チャネルを介して第１ベントポケットに連結された増幅チャンバと、
第３チャネルを介して前記増幅チャンバに連結され、第４チャネルを介して第２ベントポケットに連結された標識チャンバと、
前記標識チャンバに第５チャネルを介して連結され、第６チャネルを介して第３ベントポケットに連結された検出サブシステムと、
複数の抵抗加熱素子と、
１個以上の温度測定デバイスと、を備え
前記ベントポケットは、前記抵抗加熱素子のうち１個の付近に位置する非耐熱性メンブレンによって大気からそれぞれ密閉されている、使い捨てプラットフォーム。
【請求項２】
前記サンプルチャンバの入口と直接流体連結した出口を備えるサンプル調製ステージをさらに備える、請求項１に記載の使い捨てプラットフォーム。
【請求項３】
前記増幅チャンバの実質的平面の寸法が前記増幅チャンバと熱的に接触している抵抗加熱素子の実質的平面の寸法とほぼ同じである、請求項１に記載の使い捨てプラットフォーム。
【請求項４】
前記増幅チャンバが能動的冷却デバイスによって冷却されない、請求項１に記載の使い捨てプラットフォーム。
【請求項５】
前記増幅チャンバが増幅溶液を含有し、前記サンプルチャンバが液体増幅試薬ミックスもしくは凍結乾燥増幅試薬ミックスを含み、および／または前記標識チャンバが検出粒子を含む、請求項１に記載の使い捨てプラットフォーム。
【請求項６】
前記標識チャンバが前記抵抗加熱素子の１個を使用して加熱可能である、請求項１に記載の使い捨てプラットフォーム。
【請求項７】
前記検出サブシステムが検出粒子を含まないラテラル・フロー・ストリップを含む、請求項１に記載の使い捨てプラットフォーム。
【請求項８】
前記チャンバ、前記チャネルおよび前記ベントポケットが流体アセンブリ層上に位置して、前記電子素子がプリント回路基板を含む別個の層上に位置し、前記別個の層が流体アセンブリ層に結合されている、請求項１に記載の使い捨てプラットフォーム。
【請求項９】
前記検出サブシステムが前記流体アセンブリ層上または第２流体アセンブリ層上に位置している、請求項１に記載の使い捨てプラットフォーム。
【請求項１０】
少なくとも１個の前記チャンバの体積がおよそ１マイクロリットルからおよそ５０マイクロリットルの間である、請求項１に記載の使い捨てプラットフォーム。
【請求項１１】
前記使い捨てプラットフォームを、外部機器ではなく、使い捨てプラットフォームを垂直のまたは傾斜した向きで保持するベースユニットと連結するためのコネクタをさらに備える、請求項１に記載の使い捨てプラットフォーム。
【請求項１２】
標的核酸を検出するための方法であって、
使い捨てプラットフォームのサンプルチャンバに標的核酸を含むサンプルを配置することと、
使い捨てプラットフォームを垂直にまたは傾斜して向けることと、
サンプルを液体または先に凍結乾燥させた増幅試薬ミックスと反応させることと、
増幅チャンバに連結された第１ベントポケットを大気に開放することにより、反応したサンプルが増幅チャンバ中に流入できるようにすることと、
増幅チャンバにて標的核酸を増幅することと、
標識チャンバに連結された第２ベントポケットを大気に開放することにより、増幅した標的核酸が標識チャンバ中に流入できるようにすることと、
標識チャンバにて検出粒子を使用して、増幅した標的核酸に標識することと、
検出サブシステムに連結されている第３ベントポケットを大気に開放することにより、標識した標的核酸が検出サブシステム中に流入できるようにすることと、
増幅した標的核酸を検出することと、から成る方法。
【請求項１３】
増幅ステップが、使い捨てプラットフォーム内で増幅チャンバ付近に位置する抵抗加熱素子を使用して、標的核酸を増幅することを含む、請求項１２に記載の方法。
【請求項１４】
増幅チャンバを受動冷却することをさらに含む、請求項１２に記載の方法。
【請求項１５】
標識ステップの間に、使い捨てプラットフォーム内の標識チャンバ付近に位置する抵抗加熱素子を使用して標識チャンバを加熱することをさらに含む、請求項１２に記載の方法。
【請求項１６】
検出サブシステムが検出粒子を含んでいない、請求項１２に記載の方法。
【請求項１７】
外部機器ではないドッキングステーションを使用することにより使い捨てプラットフォームの動作を制御することをさらに含む、請求項１２に記載の方法。